(57)【要約】【課題】ヘッドを交換可能なハンマーにおいて、ヘッドの取付部の両端に取替ヘッドを取付け可能とし、かつ取替ヘッドをあまり力を要さずに取付部に強固に固定することができ、ハンマーを繰り返し使用しても取替ヘッドのガタツキが容易に生じないようにする。【解決手段】柄１に固定された取付部２と、取付部に着脱自在に取付けられた取替ヘッド３とからなる。取付部は柄に対して直角にのびる貫通穴４を有し、取替ヘッドは取付部の一端側に取付けられる第１エレメント５及び取付部の他端側に取付けられる第２エレメント６からなる。第１エレメントにはネジが切られたロッド７が突設され、第２エレメントには第１エレメントのロッドのネジに係合し得るネジ穴８が設けられ、第１エレメントのロッドが取付部の貫通穴に通され、第２エレメントのネジ穴に係合せしめられることにより、第１エレメント及び第２エレメントが連結された状態で取付部に取付けられる。【選択図】図１
2005205522.tif 000002
【特許請求の範囲】
【請求項１】
柄の一端に固定された取付部と、前記取付部に着脱自在に取付け、固定された取替ヘッドとからなり、
前記取付部は、前記柄に対して直角にのびる貫通穴を有し、
前記取替ヘッドは、前記取付部の一端側に取付けられる第１エレメント、及び前記取付部の他端側に取付けられる第２エレメントからなり、
前記第１エレメントには、ネジが切られたロッドが突設され、
前記第２エレメントには、前記第１エレメントのロッドのネジに係合し得るネジ穴が設けられ、
前記第１エレメントのロッドが前記取付部の貫通穴に通されるとともに、前記第２エレメントのネジ穴に係合せしめられることにより、前記第１エレメント及び前記第２エレメントが連結された状態で前記取付部に取付け、固定されるようになっていることを特徴とするヘッドを交換可能なハンマー。
【請求項２】
前記取付部の両端は、それぞれ、平坦な固定面として形成され、前記第１及び第２エレメントにおける前記取付部の固定面に対向する領域は、それぞれ、平坦な取付面として形成され、前記第１及び第２エレメントの取付面がそれぞれ関係する前記取付部の固定面に当接した状態で、前記第１及び第２エレメントが前記取付部に取付け、固定されるようになっていることを特徴とする請求項１に記載のヘッドを交換可能なハンマー。
【請求項３】
前記第１エレメントは、前記ロッドの基端が接続され、前記取付部の貫通穴の一端側に差し込まれる差込部を備え、前記貫通穴の一端側の内周面及び前記差込部の外側面には、前記差込部の前記貫通穴内における軸まわりの回動運動を阻止するスライドガイドが設けられていることを特徴とする請求項１又は請求項２に記載のヘッドを交換可能なハンマー。
【請求項４】
前記スライドガイドは、前記貫通穴の一端側の内周面及び前記差込部の外側面の一方に突設されたピンと、前記貫通穴の一端側の内周面及び前記差込部の外側面の他方に設けられた軸方向にのびるガイド溝とからなり、前記差込部が前記貫通穴に差し込まれるときに前記ピンが前記ガイド溝によって案内されるようになっていることを特徴とする請求項３に記載のヘッドを交換可能なハンマー。
【発明の詳細な説明】
【技術分野】
【０００１】
本発明は、ヘッドを交換可能なハンマーに関するものである。
【背景技術】
【０００２】
従来、ハンマーは、柄の一端にヘッドをＴ字形に固定したものからなっており、作業内容に応じて異なる形状のヘッドを備えたハンマーを使用しなければならず、したがって、一度に多種類の作業を行う場合には、多数のハンマーを準備し、持ち運ばなければならない。そして、このように多数のハンマーを揃えると費用が高くつき、また、多数のハンマーをまとめて携帯するのは不便であるという問題があった。
【０００３】
この不都合を解消するため、作業内容に応じて取替ヘッドを取り替えることができるようにしたハンマーが提案されている（特許文献１参照）。特許文献１に記載のハンマーにおいては、取っ手部の一端に直角方向に位置させた取付部が固着され、この取付部の先端に各種取替ヘッドが着脱可能に取付けられる。この構成によれば、取付部の両端にそれぞれ独立に取替ヘッドが取付けられる。この場合、取付部の先端中央に螺孔が形成され、また、取替ヘッドの基部の後面中央には、取付部の螺孔に対応する螺条部が形成される。そして、取替ヘッドの基部の背面に樹脂、ゴム等のパッキンを介して、取替ヘッドが取付部に固着される。あるいは、取付部の先端中央に角孔が形成されるとともに、この角孔の中央部分に直角方向に貫通孔が形成され、また、取替ヘッドには、取付部の角孔に嵌合する角柱部が設けられ、この角柱部の中間部分に、取付部の貫通孔に対応する長孔が形成される。そして、取替ヘッドの角柱部が取付部の角孔に差し込まれた後、取付部の貫通孔及び取替ヘッドの角柱部の長孔のボルトが通され、ボルトに蝶ねじがねじ込まれることにより、取替ヘッドが取付部に固着される。
【０００４】
このハンマーによれば、取替ヘッドは取付部の一端側のみにしか取付けることができず、取付部の他端側を有効利用することができない。さらには、取替ヘッドを取付部にしっかりと固定するにはかなりの力を要し、女性や老人等には取り扱いが容易ではなく、また、取替ヘッドの取付けが強固でないと、ハンマーを繰り返し使用したとき、その衝撃によって、取替ヘッドが次第に緩み、そのまま放置しておくと、最終的に当該取替ヘッドが取付部から脱落してしまうという問題があった。
【特許文献１】実開昭５８−１５０４８０号
【発明の開示】
【発明が解決しようとする課題】
【０００５】
したがって、本発明の課題は、ヘッドを交換可能なハンマーにおいて、ハンマーの柄に設けられた取付部の両端に取替ヘッドを取付け可能とすると同時に、取替ヘッドをあまり力を要さずに取付部にしっかりと固定することができ、よって、ハンマーを繰り返し使用しても取替ヘッドのガタツキが容易に生じないようにすることにある。
【課題を解決するための手段】
【０００６】
上記課題を解決するため、本発明は、柄の一端に固定された取付部と、前記取付部に着脱自在に取付け、固定された取替ヘッドとからなり、前記取付部は、前記柄に対して直角にのびる貫通穴を有し、前記取替ヘッドは、前記取付部の一端側に取付けられる第１エレメント、及び前記取付部の他端側に取付けられる第２エレメントからなり、前記第１エレメントには、ネジが切られたロッドが突設され、前記第２エレメントには、前記第１エレメントのロッドのネジに係合し得るネジ穴が設けられ、前記第１エレメントのロッドが前記取付部の貫通穴に通されるとともに、前記第２エレメントのネジ穴に係合せしめられることにより、前記第１エレメント及び前記第２エレメントが連結された状態で前記取付部に取付け、固定されるようになっていることを特徴とするヘッドを交換可能なハンマーを構成したものである。
【０００７】
この構成において、好ましくは、前記取付部の両端は、それぞれ、平坦な固定面として形成され、前記第１及び第２エレメントにおける前記取付部の固定面に対向する領域は、それぞれ、平坦な取付面として形成され、前記第１及び第２エレメントの取付面がそれぞれ関係する前記取付部の固定面に当接した状態で、前記第１及び第２エレメントが前記取付部に取付け、固定されるようになっている。
【０００８】
また、前記第１エレメントは、前記ロッドの基端が接続され、前記取付部の貫通穴の一端側に差し込まれる差込部を備え、前記貫通穴の一端側の内周面及び前記差込部の外側面には、前記差込部の前記貫通穴内における軸まわりの回動運動を阻止するスライドガイドが設けられていることが好ましく、さらに、前記スライドガイドは、前記貫通穴の一端側の内周面及び前記差込部の外側面の一方に突設されたピンと、前記貫通穴の一端側の内周面及び前記差込部の外側面の他方に設けられた軸方向にのびるガイド溝とからなり、前記差込部が前記貫通穴に差し込まれるときに前記ピンが前記ガイド溝によって案内されるようになっていることが好ましい。
【発明の効果】
【０００９】
本発明によれば、取替ヘッドを第１エレメント及び第２エレメントから構成するとともに、この一対のエレメントを互いに連結した状態で、柄に固定された取付部の両端に取付け、固定するようにしたので、第１エレメント及び第２エレメントの２種類のヘッドを作業内容に応じて使用することができ、さらには、ハンマーを繰り返し使用しても、取替ヘッドのガタツキが容易に生じることがない。
【発明を実施するための最良の形態】
【００１０】
以下、添付図面を参照して、本発明の好ましい実施例について説明する。図１は、本発明の１実施例によるヘッドを交換可能なハンマーの構造を示す図であり、（Ａ）はハンマーの取替ヘッドの正面図、（Ｂ）はハンマーの一部破断側面図、（Ｃ）はハンマーの取替ヘッドの後面図である。また、図２は、図１に示される取替ヘッドの構造を示す図であり、（Ａ）は取替ヘッドを分解した状態を取付部とともに示した一部破断側面図、（Ｂ）は取替ヘッドの第２エレメントをロッドの先端側から見た端面図である。
【００１１】
図１及び図２を参照して、本発明によるハンマーは、木製の柄１の一端に固定された金属製の取付部２と、取付部２に着脱自在に取付け、固定された金属製の取替ヘッド３からなっている。取付部２は、中心軸に沿って貫通穴４が形成された実質上円筒状の本体部分１４と、本体部分１４の中間に接合され、これに対して直角にのびる平板状の取付部分１５とからなるＴ字形状を有している。また、柄１の一端中央部には、その先端から軸方向にのびる切込が形成され、この切込に取付部２の取付部分１５が差し込まれ、本体部分１４の貫通穴４が柄１に対して直角にのびるように配置されて、固定ピン１３によって柄１に固定されている。
取付部２の本体部分１４の両端は、それぞれ、平坦な固定面２ｃ、２ｄとして形成されている。この実施例では、柄１は木製であり、取付部２及び取替ヘッド３は金属製であるが、柄１、取付部２及び取替ヘッド３を、プラスチック樹脂等のこれ以外の材料から形成することもできる。
【００１２】
取替ヘッド３は、取付部２の本体部分１４の一端側２ａに取付けられる第１エレメント５、及び取付部２の本体部分１４の他端側２ｂに取付けられる第２エレメント６からなっている。
第１エレメント５には、ネジが切られたロッド７が突設されている。第１エレメント５は、取付部２の本体部分１４の外径と同じ径の円形後面から先端に向かって先細りに形成された本体部５ａと、本体部５ａにこれに同心的に接続され、取付部２の本体部分１４の貫通穴４の内径より小さい径を有する円柱状の差込部５ｂからなり、差込部５ｂにはロッド７の基端が接続されている。本体部５ａから差込部５ｂに移行する段差は、第１エレメント５の取付部２への取付けの際に取付部２の本体部分１４の一端側の固定面２ｃに対向する平坦な取付面５ｃを形成している。本体部５ａの先端は平坦な打撃面１１を形成している。
【００１３】
第２エレメント６は、取付部２の外径と同じ径を有する円柱形状の大径部６ａと、大径部６ａにこれに同心的に接続され、取付部２の本体部分１４の貫通穴４の内径より小さい径を有する円柱状の小径部６ｂとからなっている。大径部６ａから小径部６ｂに移行する段差は、第２エレメント６の取付部２への取付けの際に取付部２の本体部分１４の他端側の固定２ｄに対向する平坦な取付面６ｃを形成している。小径部６ｂの端面には、第１エレメント５のロッド７のネジに係合し得るネジ穴８が形成されている。大径部６ａの先端は平坦な打撃面１２を形成している。
【００１４】
なお、この実施例では、第１及び第２エレメント５、６は、いずれも、打撃用のものとして形成されているが、第１及び第２のエレメントを、打撃以外の用途、例えば、釘抜き用や孔開け用のものとして形成することもできる。
【００１５】
取付部２の貫通穴４の一端側の内周面及び第１エレメント５の差込部５ｂの外側面には、差込部５ｂの貫通穴４内での軸まわりの回動運動を阻止するスライドガイドが設けられている。スライドガイドは、この実施例では、貫通穴４の一端側の内周面に突設されたピン９と、差込部５ｂの外側面に設けられた軸方向にのび、ピン９を案内するガイド溝１０とからなっている。なお、ピン９を差込部５ｂの外側面に突設し、ガイド溝１０を貫通穴４の一端側の内周面に設けるようにしてもよい。
【００１６】
こうして、第１エレメント５のロッド７が取付部２の本体部分１４の一端側から貫通穴４に通されるとともに、貫通穴４のピン９が第１エレメント５の差込部５ｂのガイド溝１０によって案内されつつ、第１エレメント５の取付面５ｃが取付部２の固定面２ｃに当接するまで、差込部５ｂが貫通穴４に差し込まれる。さらに、第２エレメント６の小径部６ｂが取付部２の本体部分１４の他端側から貫通穴４にねじ込まれ、第２エレメントの取付面６ｃが取付部２の固定面２ｄに当接した状態で、第１エレメント５のロッド７が第２エレメント６のネジ穴８に係合せしめられることにより、第１エレメント５及び第２エレメント６が連結された状態で取付部２に取付け、固定される。
【００１７】
この場合、第１エレメント５は、スライドガイド（ピン９及びガイド溝１０）によって貫通穴４内において軸まわりの回動運動を阻止されるので、第１エレメント５を貫通穴４に差し込んだ後は、第２エレメント６を指で掴んで貫通穴４内にねじ込めばよく、第１及び第２エレメント５、６の取付けが極めて簡単になされ得る。しかも、第１及び第２エレメント５、６の間に取付部２（本体部分１４）が締め付けられるようにして、第１及び第２エレメント５、６が取付部２（本体部分１４）に取付け、固定されるので、あまり力を要することなく、第１及び第２エレメント５、６を取付部２に強固に取付けることができる。こうして、ハンマーを繰り返し使用しても、取替ヘッド３のガタツキを容易に生じることがない。
【図面の簡単な説明】
【００１８】
【図１】本発明の１実施例によるヘッドを交換可能なハンマーの構造を示す図であり、（Ａ）はハンマーのヘッドの正面図、（Ｂ）はハンマーの一部破断側面図、（Ｃ）はハンマーのヘッドの後面図である。
【図２】図１に示される取替ヘッドの構造を示す図であり、（Ａ）は取替ヘッドを分解した状態を取付部とともに示した一部破断側面図、（Ｂ）は取替ヘッドの第２エレメントをロッドの先端側から見た端面図である。
【符号の説明】
【００１９】
１  柄
２  取付部
２ａ  一端側
２ｂ  他端側
２ｃ、２ｄ  固定面
３  取替ヘッド
４  貫通穴
５  第１エレメント
５ａ  本体部
５ｂ  差込部
５ｃ  取付面
６  第２エレメント
６ａ  大径部
６ｂ  小径部
６ｃ  取付面
７  ネジが切られたロッド
８  ネジ穴
９  ピン
１０  ガイド溝
【図１】
2005205522.tif 000003
【図２】
2005205522.tif 000004